(57)【要約】【課題】負荷への供給電圧の一定化及び電力変換装置の対応電圧の一定化を図ることができる電力供給システムを提供する。【解決手段】太陽光パネル２１の発電による２００Ｖの電力を商用電力系統４０に供給可能な第１接続状態と１００Ｖの電力を送出可能な第２接続状態とに切り替え可能な第１スイッチ６０を備える。停電時かつ太陽光パネル２１の発電時に、第１スイッチ６０を介して供給される１００Ｖの電力を２００Ｖに昇圧して出力する変圧トランス７０を備える。停電時かつ太陽光パネル２１の発電時に、変圧トランス７０から出力される２００Ｖの電力が供給されるとともに、停電時かつ太陽光パネル２１の非発電時に、蓄電池３１の電力変換した２００Ｖの電力を負荷５０に供給可能なパワーコンディショナ３２を備える。【選択図】図２
2019017141.tif 000002
【特許請求の範囲】
【請求項１】
発電装置、蓄電池及び商用電力系統から負荷に電力を供給可能な電力供給システムであって、
前記発電装置の発電による第１電圧の電力を前記商用電力系統に供給可能な第１接続状態と前記第１電圧より低い電圧である前記発電装置の発電による第２電圧の電力を送出可能な第２接続状態とに切り替え可能な第１スイッチと、
停電時かつ前記発電装置の発電時に、前記第１スイッチを介して供給される前記第２電圧の電力を第１電圧に昇圧して出力する昇圧部と、
停電時に、前記昇圧部及び前記蓄電池と前記商用電力系統との接続を遮断する第２スイッチと、
前記蓄電池に対し双方向に電力変換可能に構成され、停電時かつ前記発電装置の発電時に、前記昇圧部から出力される第１電圧の電力が供給されるとともに、停電時かつ前記発電装置の非発電時に、前記蓄電池の電力変換した第１電圧の電力を負荷に供給可能な電力変換装置と、
を備えることを特徴とする電力供給システム。
【請求項２】
前記昇圧部は、停電時かつ前記発電装置の発電時に、前記第１スイッチを介して供給される第２電圧の電力を第１電圧の電力に昇圧して前記負荷及び前記電力変換装置に供給することを特徴とする請求項１に記載の電力供給システム。
【請求項３】
前記電力変換装置は、停電時かつ前記発電装置の発電時において前記昇圧部から出力される第１電圧の電力を供給可能な第３接続状態と、停電時かつ前記発電装置の非発電時において電力変換した前記蓄電池の第１電圧の電力を負荷に供給可能な第４接続状態とに切り替え可能な第３スイッチを有することを特徴とする請求項１に記載の電力供給システム。
【発明の詳細な説明】
【技術分野】
【０００１】
本発明は、電力供給システムに関するものである。
【背景技術】
【０００２】
発電装置、蓄電池及び商用電力系統から負荷に電力を供給可能な電力供給システムにおいては、停電時に蓄電池から住宅の負荷へ電力を送ることができる。夜間電力や太陽光発電の余剰電力を蓄電池に貯め、住宅の負荷へ放電することで電力料金を安くすることができる。車両の蓄電池を家庭用蓄電システムとして代用するＶ２Ｈシステムも開発されている。特許文献１において自立運転時には太陽光発電システムの１００Ｖ出力を、昇圧トランスを介して車載蓄電池システムと接続して、２００Ｖで蓄電池ユニットを充電する技術開示されている。
【先行技術文献】
【特許文献】
【０００３】
【特許文献１】国際公開ＷＯ２０１２／１６５３６５号公報
【発明の概要】
【発明が解決しようとする課題】
【０００４】
ところで、発電装置、蓄電池及び商用電力系統から２００Ｖ負荷に電力を供給可能な電力供給システムを構築するに当たり、停電時に、２００Ｖ負荷に発電装置から単相３線２００Ｖの電力が供給できるとともに、蓄電池に対し双方向に電力変換可能に構成された電力変換装置での対応電圧を単相３線２００Ｖのみにしたいというニーズがある。
【０００５】
本発明の目的は、負荷への供給電圧の一定化及び電力変換装置の対応電圧の一定化を図ることができる電力供給システムを提供することにある。
【課題を解決するための手段】
【０００６】
請求項１に記載の発明では、発電装置、蓄電池及び商用電力系統から負荷に電力を供給可能な電力供給システムであって、前記発電装置の発電による第１電圧の電力を前記商用電力系統に供給可能な第１接続状態と前記第１電圧より低い電圧である前記発電装置の発電による第２電圧の電力を送出可能な第２接続状態とに切り替え可能な第１スイッチと、停電時かつ前記発電装置の発電時に、前記第１スイッチを介して供給される前記第２電圧の電力を第１電圧に昇圧して出力する昇圧部と、停電時に、前記昇圧部及び前記蓄電池と前記商用電力系統との接続を遮断する第２スイッチと、前記蓄電池に対し双方向に電力変換可能に構成され、停電時かつ前記発電装置の発電時に、前記昇圧部から出力される第１電圧の電力が供給されるとともに、停電時かつ前記発電装置の非発電時に、前記蓄電池の電力変換した第１電圧の電力を負荷に供給可能な電力変換装置と、を備えることを要旨とする。
【０００７】
請求項１に記載の発明によれば、第１スイッチにより、発電装置の発電による第１電圧の電力を商用電力系統に供給可能な第１接続状態と第１電圧より低い電圧である発電装置の発電による第２電圧の電力を送出可能な第２接続状態とに切り替え可能であり、昇圧部において、停電時かつ発電装置の発電時に、第１スイッチを介して供給される第２電圧の電力が第１電圧に昇圧して出力される。停電時に、昇圧部及び蓄電池と商用電力系統との接続が第２スイッチにより遮断される。蓄電池に対し双方向に電力変換可能に構成された電力変換装置において、停電時かつ発電装置の発電時に、昇圧部から出力される第１電圧の電力が供給されるとともに、停電時かつ発電装置の非発電時に、蓄電池の電力変換した第１電圧の電力が負荷に供給可能にされる。よって、系統から給電できなくなった停電時に負荷への供給電圧として第１電圧にできるとともに、蓄電池に対し双方向に電力変換可能に構成された電力変換装置での対応電圧として第１電圧にできる。その結果、負荷への供給電圧の一定化及び電力変換装置の対応電圧の一定化を図ることができる。
【０００８】
請求項２に記載のように、請求項１に記載の電力供給システムにおいて、前記昇圧部は、停電時かつ前記発電装置の発電時に、前記第１スイッチを介して供給される第２電圧の電力を第１電圧の電力に昇圧して前記負荷及び前記電力変換装置に供給するとよい。
【０００９】
請求項３に記載のように、請求項１に記載の電力供給システムにおいて、前記電力変換装置は、停電時かつ前記発電装置の発電時において前記昇圧部から出力される第１電圧の電力を供給可能な第３接続状態と、停電時かつ前記発電装置の非発電時において電力変換した前記蓄電池の第１電圧の電力を負荷に供給可能な第４接続状態とに切り替え可能な第３スイッチを有するとよい。
【発明の効果】
【００１０】
本発明によれば、負荷への供給電圧の一定化及び電力変換装置の対応電圧の一定化を図ることができる。
【図面の簡単な説明】
【００１１】
【図１】第１の実施形態における電力供給システムの構成図。
【図２】（ａ）は第１の実施形態における系統連系時の構成図、（ｂ）は第１の実施形態における停電運転時の構成図。
【図３】（ａ）は第２の実施形態における系統連系時の電力供給システムの構成図、（ｂ）は第２の実施形態における停電運転時・太陽光発電あり時の電力供給システムの構成図、（ｃ）は第２の実施形態における停電運転時・太陽光発電なし時の電力供給システムの構成図。
【図４】（ａ）は比較例における系統連系時の電力供給システムの構成図、（ｂ）は比較例における停電運転時の電力供給システムの構成図。
【図５】（ａ）は比較例における系統連系時の電力供給システムの構成図、（ｂ）は比較例における停電運転時の電力供給システムの構成図。
【発明を実施するための形態】
【００１２】
（第１の実施形態）
以下、本発明を具体化した一実施形態を図面に従って説明する。
図１に示すように、電力供給システム１０は、太陽光発電システム２０の太陽光パネル２１、Ｖ２Ｈシステム３０の蓄電池３１及び商用電力系統４０から負荷５０，５１に電力供給することができるシステム構成となっている。
【００１３】
太陽光発電システム２０は、太陽光パネル２１とパワーコンディショナ２２を有する。太陽光パネル２１は太陽光を受けて直流電力を発電する。パワーコンディショナ２２は、太陽光パネル２１からの直流電力を入力して交流電力に変換して出力する。このとき、太陽光発電システム２０は、第１電圧としての２００Ｖと、２００Ｖより低い電圧である第２電圧としての１００Ｖとを出力可能に構成されている。
【００１４】
蓄電池３１は車載の蓄電池であり、充放電スタンドにパワーコンディショナ３２が設けられている。充放電スタンドは、負荷５０，５１を含む住宅と車両との間に接続される。つまり、充放電スタンドは、車両と住宅を接続するＶ２Ｈ（Ｖｅｈｉｃｌｅ  ｔｏ  Ｈｏｍｅ）機器である。充放電スタンドは、車両に搭載された蓄電池３１の充放電を制御する。車両は電気自動車（ＥＶ）であり、走行中においては蓄電池３１の放電が行われる。車両には蓄電池３１、走行モータ等の負荷、制御部が搭載されている。直流電源である蓄電池３１は、高圧、例えば３００Ｖの二次電池であり、具体的には例えばリチウムイオン二次電池が使用される。制御部により蓄電池３１の電力で走行モータ等の負荷を駆動できるようになっている。
【００１５】
蓄電池３１に接続されるパワーコンディショナ３２はＤＣ／ＤＣ変換機能とＤＣ／ＡＣ機能を有する。パワーコンディショナ３２は、蓄電池３１から直流電力を入力してＤＣ／ＤＣ変換及びＤＣ／ＡＣ変換して交流電力を出力することができる。また、パワーコンディショナ３２は、外部から交流電力を入力してＤＣ／ＡＣ変換及びＤＣ／ＤＣ変換して直流電力を蓄電池３１に供給して蓄電池３１を充電することができる。このように、パワーコンディショナ３２は、蓄電池３１に対し双方向に電力変換可能に構成されている。
【００１６】
電力供給システム１０は、停電時かつ太陽光発電時に１００Ｖを２００Ｖに昇圧する昇圧部としての変圧トランス７０を有する。
太陽光発電システム２０のパワーコンディショナ２２は第１スイッチ６０を有する。第１スイッチ６０は、切替スイッチであって、可動接触子６１と、共通接点６２と、第１の切替接点６３と、第２の切替接点６４を具備している。共通接点６２には可動接触子６１の一端が回動可能に支持されている。可動接触子６１の回動により可動接触子６１の他端が第１の切替接点６３又は第２の切替接点６４に接触する。共通接点６２に１００Ｖあるいは２００Ｖが供給される。第１の切替接点６３には商用電力系統４０及び定常負荷５１が接続されている。第１の切替接点６３には第２スイッチ８０を介して重要負荷５０及びパワーコンディショナ３２が接続されている。一方、第２の切替接点６４には変圧トランス７０が接続されている。
【００１７】
第１スイッチ６０により、商用電力系統４０に接続されて単相３線２００Ｖを供給する系統連系接続（第１接続状態）と、変圧トランス７０に接続されて１００Ｖを供給する停電接続（第２接続状態）とに切り替え可能である。つまり、第１スイッチ６０は、太陽光パネル２１の発電による単相３線２００Ｖの電力を商用電力系統４０に供給可能な第１接続状態と１００Ｖの電力を送出可能な第２接続状態とに切り替え可能である。
【００１８】
変圧トランス７０は、パワーコンディショナ３２を介して蓄電池３１と接続されている。変圧トランス７０は、重要負荷５０と接続されている。変圧トランス７０は、第２スイッチ８０を介して商用電力系統４０及び定常負荷５１と接続されている。
【００１９】
第２スイッチ８０は、開閉スイッチであって、系統との遮断装置として機能する。第２スイッチ８０は、可動接触子８１と、接点８２，８３を具備している。可動接触子８１の一端が回動可能に支持された接点８２は、変圧トランス７０、パワーコンディショナ３２及び重要負荷５０と接続されている。接点８３は、パワーコンディショナ２２、商用電力系統４０及び定常負荷５１と接続されている。第２スイッチ８０は、通常時には可動接触子８１が接点８３と接触しているが、停電時には開いて変圧トランス７０及び蓄電池３１と商用電力系統４０との接続を遮断する。
【００２０】
第２スイッチ８０はユーザによって開閉されるものであり、停電時に手動により開かれる。
重要負荷５０は停電時に駆動させる必要がある負荷であり、例えばエアコン、冷蔵庫を挙げることができる。定常負荷５１はそれ以外の負荷である。
【００２１】
変圧トランス７０は、停電時かつ太陽光パネル２１の発電時に、第１スイッチ６０を介して供給される１００Ｖの電力を２００Ｖの電力に昇圧して負荷５０及びパワーコンディショナ３２に供給することができるようになっている。パワーコンディショナ３２は、停電時かつ太陽光パネル２１の発電時に、変圧トランス７０から出力される単相３線２００Ｖの電力が供給されるとともに、停電時かつ太陽光パネル２１の非発電時に、蓄電池３１の電力変換した単相３線２００Ｖの電力を負荷５０に供給可能に構成されている。
【００２２】
次に、作用について説明する。
図２（ａ）には系統連系時を示すとともに図２（ｂ）には停電運転時を示す。図２（ｂ）に示す停電運転時においてパワーコンディショナ３２に対し太陽光発電システム２０から変圧トランス７０を介して電力供給が可能であり、太陽光発電システム２０と連系がある構成となっている。
【００２３】
図２（ａ）に示すように、系統連系時にはスイッチ６０は接触子６１で接点６２と接点６３を繋ぐように切り替えられる。また、スイッチ８０は閉路されており、接触子８１で接点８２と接点８３が繋がっている。
【００２４】
そして、太陽光パネル２１が発電すると、単相３線２００Ｖの電力がパワーコンディショナ２２から系統４０、定常負荷５１、パワーコンディショナ３２及び重要負荷５０に供給可能となる。これにより、太陽光パネル２１による発電電力で負荷５０，５１が駆動される。また、太陽光パネル２１による発電電力でパワーコンディショナ３２を介して蓄電池３１を充電できる。さらに、太陽光パネル２１による発電電力のうち余剰電力を系統側に売電することができる。
【００２５】
図２（ｂ）に示すように、停電運転時にはスイッチ６０は接触子６１で接点６２と接点６４を繋ぐように切り替えられる。また、スイッチ８０は開路され、接点８２と接点８３とが切り離される。
【００２６】
そして、太陽光パネル２１が発電すると、１００Ｖの電力が変圧トランス７０に供給され、変圧トランス７０において２００Ｖの電力に昇圧されて出力される。変圧トランス７０から出力される単相３線２００Ｖの電力はパワーコンディショナ３２及び重要負荷５０に供給可能となる。これにより、太陽光パネル２１による発電電力で負荷５０が駆動される。また、太陽光パネル２１による発電電力でパワーコンディショナ３２を介して蓄電池３１を充電できる。一方、停電時に太陽光パネル２１が発電していないと、蓄電池３１の放電電力を電力変換した単相３線２００Ｖの電力を負荷５０に供給する。
【００２７】
このようにして、太陽光発電システム２０とＶ２Ｈシステム３０との間に変圧トランス７０を設置することで、停電時に負荷５０に単相３線２００Ｖの電力を供給できるとともに、太陽光パネル２１から蓄電池３１への充電が可能になる。
【００２８】
図４（ａ），（ｂ）は比較例である。
図４（ａ）に示すように、系統連系時にはスイッチ６０は接触子６１で接点６２と接点６３を繋ぐように切り替えられる。また、スイッチ１００は接触子１０１で接点１０２と接点１０４を繋ぐように切り替えられる。そして、太陽光パネル２１が発電すると、単相３線２００Ｖの電力がパワーコンディショナ２２から系統４０、定常負荷５１、パワーコンディショナ３２及び重要負荷５０に供給可能となる。
【００２９】
図４（ｂ）に示すように、停電運転時にはスイッチ６０は接触子６１で接点６２と接点６４を繋ぐように切り替えられる。また、スイッチ１００は接触子１０１で接点１０２と接点１０３を繋ぐように切り替えられる。そして、太陽光パネル２１が発電すると、１００Ｖの電力がパワーコンディショナ３２及び重要負荷５０に供給可能となる。
【００３０】
このように、停電運転時には太陽光発電システム２０と連系させるため重要負荷５０への供給は１００Ｖの電力のみとなってしまい、例えば、２００Ｖでしか駆動できない負荷（電化製品等）を作動させることができなくなってしまう。
【００３１】
つまり、停電運転時においてパワーコンディショナ３２に対し太陽光発電システム２０からスイッチ１００を介して電力供給が可能であり、太陽光発電システム２０と連系がある構成となっている。この太陽光発電システム２０との連系があるシステムにおいて、系統連系時には、一般的な太陽光発電システムでは、系統から単相３線２００Ｖが印加されなくなると自動的に停電運転へ切り替えられる。停電運転時は１００Ｖ出力のみである。つまり、停電運転時は太陽光発電システム２０と連系させるため重要負荷５０への供給は１００Ｖの電力のみとなる。
【００３２】
これに対し図２（ｂ）に示すように本実施形態では、停電運転時、重要負荷５０に２００Ｖを供給することができる。また、パワーコンディショナ３２は系統連系の２００Ｖの設定のみで対応可能であり、図４（ａ），（ｂ）で示す構成では１００Ｖ／２００Ｖ対応のパワーコンディショナ（３２）が必要であったが、本実施形態では２００Ｖ対応のパワーコンディショナ（３２）を使用することができ、コスト低減が可能となる。また、太陽光発電システム２０と、蓄電池３１を含むＶ２Ｈシステム３０とは別部品として変圧トランス７０を備えているので、太陽光発電システム２０及びＶ２Ｈシステム３０に対し変圧トランス７０を後付で装着することができる。
【００３３】
上記実施形態によれば、以下のような効果を得ることができる。
（１）電力供給システムの構成として、発電装置としての太陽光パネル２１、蓄電池３１及び商用電力系統４０から負荷５０，５１に電力を供給可能である。太陽光パネル２１の発電による第１電圧（２００Ｖ）の電力を商用電力系統４０に供給可能な第１接続状態と第１電圧（２００Ｖ）より低い電圧である太陽光パネル２１の発電による第２電圧（１００Ｖ）の電力を送出可能な第２接続状態とに切り替え可能な第１スイッチ６０を備える。停電時かつ太陽光パネル２１の発電時に、第１スイッチ６０を介して供給される第２電圧（１００Ｖ）の電力を第１電圧（２００Ｖ）に昇圧して出力する昇圧部としての変圧トランス７０を備える。停電時に、変圧トランス７０及び蓄電池３１と商用電力系統４０との接続を遮断する第２スイッチ８０を備える。蓄電池３１に対し双方向に電力変換可能に構成され、停電時かつ太陽光パネル２１の発電時に、変圧トランス７０から出力される第１電圧（２００Ｖ）の電力が供給されるとともに、停電時かつ太陽光パネル２１の非発電時に、蓄電池３１の電力変換した第１電圧（２００Ｖ）の電力を負荷５０に供給可能な電力変換装置としてのパワーコンディショナ３２を備える。よって、系統から給電できなくなった停電時に負荷５０への供給電圧として第１電圧（２００Ｖ）にできるとともに、蓄電池３１に対し双方向に電力変換可能に構成された電力変換装置としてのパワーコンディショナ３２での対応電圧として第１電圧（２００Ｖ）にできる。その結果、負荷への供給電圧の一定化及び電力変換装置の対応電圧の一定化を図ることができる。
【００３４】
（２）変圧トランス７０は、停電時かつ太陽光パネル２１の発電時に、第１スイッチ６０を介して供給される第２電圧（１００Ｖ）の電力を第１電圧（２００Ｖ）の電力に昇圧して負荷５０及びパワーコンディショナ３２に供給する。よって、停電時かつ太陽光パネル２１の発電時に、第１電圧（２００Ｖ）を負荷５０に供給することができる。
【００３５】
（第２の実施形態）
次に、第２の実施形態を、第１の実施形態との相違点を中心に説明する。
図３（ａ）には系統連系時を示すとともに図３（ｂ）には停電運転時を示す。図３（ｂ）に示す停電運転時においてパワーコンディショナ３２に対し太陽光発電システム２０から（変圧トランス７０がないと）電力供給ができず、太陽光発電システム２０と連系がないシステム構成となっている。
【００３６】
図３（ａ）に示すように、電力変換装置としてのパワーコンディショナ３２は、第３スイッチ９０を有する。第３スイッチ９０は、切替スイッチであって、可動接触子９１と、共通接点９２と、第１の切替接点９３と、第２の切替接点９４を具備している。共通接点９２には可動接触子９１の一端が回動可能に支持されている。可動接触子９１の回動により可動接触子９１の他端が第１の切替接点９３又は第２の切替接点９４に接触する。共通接点９２に電力変換機器が接続されている。第１の切替接点９３には変圧トランス７０が接続されているとともに第２スイッチ８０を介して接点６３、商用電力系統４０及び定常負荷５１が接続されている。第２の切替接点９４には重要負荷５０が接続されている。
【００３７】
次に、作用について説明する。
図３（ａ）に示すように、系統連系時にはスイッチ６０は接触子６１で接点６２と接点６３を繋ぐように切り替えられる。また、スイッチ８０は閉路されており、接触子８１で接点８２と接点８３が繋がっている。さらに、スイッチ９０は接触子９１で接点９２と接点９３を繋ぐように切り替えられる。
【００３８】
そして、太陽光パネル２１が発電すると、単相３線２００Ｖの電力がパワーコンディショナ２２から系統４０、定常負荷５１、パワーコンディショナ３２に供給可能となる。これにより、太陽光パネル２１による発電電力で負荷５１が駆動される。また、太陽光パネル２１による発電電力でパワーコンディショナ３２を介して蓄電池３１を充電できる。さらに、太陽光パネル２１による発電電力のうち余剰電力を系統側に売電することができる。
【００３９】
図３（ｂ）に示すように、停電運転時・太陽光発電がある時にはスイッチ６０は接触子６１で接点６２と接点６４を繋ぐように切り替えられる。また、スイッチ８０は開路され、接点８２と接点８３とが切り離される。さらに、スイッチ９０は接触子９１で接点９２と接点９３を繋ぐように切り替えられる。
【００４０】
そして、太陽光パネル２１が発電すると、１００Ｖの電力が変圧トランス７０に供給され、変圧トランス７０において２００Ｖの電力に昇圧されて出力される。変圧トランス７０から出力される２００Ｖはパワーコンディショナ３２に供給可能となる。これにより、太陽光パネル２１による発電電力でパワーコンディショナ３２を介して蓄電池３１を充電できる。
【００４１】
図３（ｃ）に示すように、停電運転時・太陽光発電がない時にはスイッチ６０の接触子６１が接点６２と接点６４を繋ぐように切り替えられる。また、スイッチ８０は開路され、接点８２と接点８３とが切り離される。さらに、スイッチ９０は接触子９１で接点９２と接点９４を繋ぐように切り替えられる。
【００４２】
そして、蓄電池３１の放電により重要負荷５０に単相３線２００Ｖの電力が供給可能となる。これにより、蓄電池３１の放電電力で負荷５０が駆動される。このように負荷に電力が必要な時には図３（ｃ）のように切り替えられる。
【００４３】
このように、停電時に負荷５０への供給電圧として２００Ｖにできるとともに、パワーコンディショナ３２での対応電圧として２００Ｖのみとすることができる。その結果、負荷への供給電圧の一定化及び電力変換装置の対応電圧の一定化を図ることができる。
【００４４】
図５（ａ），（ｂ）は比較例である。
図５（ａ）に示すように、系統連系時にはスイッチ６０は接触子６１で接点６２と接点６３を繋ぐように切り替えられる。また、スイッチ１１０は接触子１１１で接点１１２と接点１１３を繋ぐように切り替えられる。そして、太陽光パネル２１が発電すると、単相３線２００Ｖの電力がパワーコンディショナ２２から系統４０、定常負荷１２１、パワーコンディショナ３２に供給可能となる。
【００４５】
図５（ｂ）に示すように、停電運転時にはスイッチ６０は接触子６１で接点６２と接点６４を繋ぐように切り替えられる。また、スイッチ１１０は接触子１１１で接点１１２と接点１１４を繋ぐように切り替えられる。そして、太陽光パネル２１が発電すると、１００Ｖの電力が重要負荷１２０に供給可能となる。また、蓄電池３１の放電により重要負荷１２２に１００Ｖの電力が供給可能となる。
【００４６】
このように図５（ｂ）に示す停電運転時においてパワーコンディショナ３２に対し太陽光発電システム２０から電力供給ができず太陽光発電システム２０と連系がない構成となっている。この場合、系統から２００Ｖが印加されなくなると自動的に停電運転へ切り替えられ、停電運転時はパワーコンディショナ２２は１００Ｖ出力のみであり、停電運転時には蓄電池３１への充電機能がないため停電時には太陽光発電電力で蓄電池３１を充電することはできない。
【００４７】
これに対し図３（ｂ）に示すように本実施形態では、停電運転時において太陽光発電電力で蓄電池３１を充電することができる。
このようにして、停電運転時においてパワーコンディショナ３２に対し太陽光発電システム２０と連系がない場合においても、変圧トランス７０を介してパワーコンディショナ３２に単相３線２００Ｖの電力が供給され蓄電池３１を充電することが可能となる。また、図３（ｃ）に示すように太陽光発電がなくなり単相３線２００Ｖの電力の供給がなくなるとスイッチ９０が切り替えられて蓄電池３１から重要負荷５０に放電することができる。なお、太陽光発電があっても重要負荷５０への供給が必要な場合はスイッチ９０が強制的に放電側へ切り替えられる（図３（ｃ）参照）。
【００４８】
本実施形態によれば、以下のような効果を得ることができる。
（３）電力変換装置としてのパワーコンディショナ３２は、停電時かつ太陽光パネル２１の発電時において変圧トランス７０から出力される第１電圧（２００Ｖ）の電力を供給可能な第３接続状態と、停電時かつ太陽光パネル２１の非発電時において電力変換した蓄電池３１の第１電圧（２００Ｖ）の電力を負荷５０に供給可能な第４接続状態とに切り替え可能な第３スイッチ９０を有する。よって、停電時かつ太陽光パネル２１の非発電時に、第１電圧（２００Ｖ）を負荷５０に供給することができる。
【００４９】
実施形態は前記に限定されるものではなく、例えば、次のように具体化してもよい。
○  太陽光発電システム２０の太陽光パネル２１の発電による第１電圧が２００Ｖであるとともに第２電圧が１００Ｖであったが、この電圧値に限るものではなく、第２電圧は、第１電圧より低い電圧であればよい。
【００５０】
○  昇圧部は変圧トランス７０であったが、これに代わり、昇圧部はＤＣ／ＤＣコンバータ等であってもよい。
○  各スイッチ６０，８０，９０の切り替えは手動でも自動でもよい。例えば、第２スイッチ８０は自動で開閉できる構成とし、系統電圧をモニタして停電時に第２スイッチ８０を自動で開くようにしてもよい。
【００５１】
○  発電装置は太陽光発電システム２０の太陽光パネル２１であったが、これに代わり、発電装置は、風力発電装置、燃料電池発電装置、エンジン駆動による発電装置等であってもよい。
【００５２】
○  蓄電池はＶ２Ｈシステム３０の車載用の蓄電池３１であったが、これに代わり、蓄電池は定置式蓄電池であってもよい。
【符号の説明】
【００５３】
１０…電力供給システム、２１…太陽光パネル（発電装置）、３１…蓄電池、３２…パワーコンディショナ（電力変換装置）、４０…商用電力系統、５０，５１…負荷、６０…第１スイッチ、７０…変圧トランス（昇圧部）、８０…第２スイッチ、９０…第３スイッチ。
【図１】
2019017141.tif 000003
【図２】
2019017141.tif 000004
【図３】
2019017141.tif 000005
【図４】
2019017141.tif 000006
【図５】
2019017141.tif 000007